(57)【要約】【課題】電源コードリール内の電源コードを一方向に引き伸ばすことが可能で、電圧に対する要求が異なるモバイル機器又はその他の製品に用いることができ、その引き伸ばしの長さが自由に制御可能とする。【解決手段】上軸受け２と、下軸受け９と、上蓋１と、下蓋１０と、回転バネ収納空間７３が設けられ、コード巻取り柱７１が設けられて上軸受け２及び下軸受け９により回転可能に支持された回転盤７と、コード巻取り柱７１に巻かれた電源コード５と、回転バネ収納空間７３に装着された回転バネ８と、電源コード５をコード巻取り柱７１に係止するコード係止具４と、コード係止具内４に設けられた導電ユニット３と、下蓋１０に設けられ、回転バネ収納空間７３の外壁の外周面に周方向に均等に配置された複数の伸縮制御溝に係止して電源コード５の伸縮長さを制御する伸縮制御スイッチ１１と、を備え、電源コード５を一方向に伸縮自在としたものである。【選択図】図１
0003136613.tif 000002
【実用新案登録請求の範囲】
【請求項１】
上軸受けと、
下軸受けと、
電源コードの引き出し及び巻き取り用の電源コード出口、及び上軸受け装着孔が形成された上蓋と、
下軸受け装着孔及び伸縮制御スイッチ装着孔が形成された下蓋と、
一方の面に回転バネ収納空間が設けられ、他方の面の中心に円筒状のコード巻取り柱が設けられて、前記上軸受け及び前記下軸受けにより回転可能に支持された回転盤と、
前記コード巻取り柱に巻かれ一端にプラグを接続した電源コードと、
前記回転バネ収納空間に装着された回転バネと、
前記電源コードの他端を前記コード巻取り柱に係止するコード係止具と、
前記電源コードの他端に電気的に接続して前記コード係止具内に設けられた導電ユニットと、
前記下蓋に設けられ、前記回転バネ収納空間の外壁の外周面に周方向に均等に配置された複数の伸縮制御溝に係止して電源コードの伸縮長さを制御する伸縮制御スイッチと、を備え、
前記電源コードを一方向に伸縮自在としたことを特徴とする電源コードリール。
【請求項２】
前記導電ユニットは、
前記電源コードの一方の芯と電気的に接続され、前記上軸受けに設けられた上電極柱と、
前記電源コードの他方の芯と電気的に接続され、前記下軸受けに設けられた下電極柱と、
前記上電極柱と前記下電極柱との間に取り付けられた絶縁体と、
を備えたことを特徴とする請求項１記載の電源コードリール。
【請求項３】
前記導電ユニットは、
接地金属軸と、
前記接地金属軸の上部に取り付けられた上絶縁体と、
前記上絶縁体上に取り付けられ、前記電源コードの一方の芯に電気的に接続され、前記上軸受けに設けられた上電極スリーブと、
前記接地金属軸の下部に取り付けられた下絶縁体と、
前記下絶縁体上に取り付けられ、前記電源コードの他方の芯に電気的に接続され、前記下軸受けに設けられた下電極スリーブと、
を備えたことを特徴とする請求項１記載の電源コードリール。
【請求項４】
前記上電極柱、下電極柱、絶縁体が、射出成型により前記コード係止具内に取り付けられたことを特徴とする請求項２記載の電源コードリール。
【請求項５】
前記接地金属軸、上絶縁体、上電極スリーブ、下絶縁体、下電極スリーブが、射出成型により前記コード係止具内に取り付けられたことを特徴とする請求項３記載の電源コードリール。
【請求項６】
前記伸縮制御スイッチは、前記伸縮制御溝に常時係止するように付勢する弾力機構をさらに備え、
前記伸縮制御スイッチを前記下蓋に固定する固定方式が、ネジ接続又は係合接続であることを特徴とする請求項１記載の電源コードリール。
【請求項７】
前記回転バネ収納空間の外壁の外周面に周方向に均等に配置された複数の伸縮制御溝にて隣接する二つの伸縮制御溝の間に摺動ガイド面を形成したことを特徴とする請求項１記載の電源コードリール。
【請求項８】
前記上蓋と下蓋との接続固定方式が、係合接続、ボルト固定接続、超音波一体成型のいずれかであることを特徴とする請求項１記載の電源コードリール。
【請求項９】
前記弾力機構は、捻りバネであることを特徴とする請求項６記載の電源コードリール。
【考案の詳細な説明】
【技術分野】
【０００１】
本考案は伸縮自在の電源コードリールに関し、特に一方向に伸縮自在な電源コードリールに関する。
【背景技術】
【０００２】
現在、家庭用電気機器又はオフィス用電気機器、特に、例えばノートパソコンのようなモバイル機器を、電源に電気的に接続させるための電源コードは、一定の長さを有する電源線の一端を電気器具に接続し、他端をプラグに接続したものであり、電気器具を使用する際、プラグを電源ソケットに電気的に接続するようになっていた。しかし、このような電源コードは、設置した際、電源コードが長くのびて比較的乱雑で目立ち易く、ほこりが付きやすいという欠点を有する。また、その長さが固定されているので、短い場合には、様々な距離に対応することができず使用上不便であり、長すぎる場合には、例えば電源コードに足を引っ掛けるおそれがあり安全性の面で問題があった。
【０００３】
一方、電源コードリールに巻き取られて伸縮自在にされた電源コードがある。このような電源コードは、電源コードリールから電源コードを必要な長さだけ引き出して、電気機器と電源ソケットとを電気的に接続可能とするものであった。
【考案の開示】
【考案が解決しようとする課題】
【０００４】
しかし、従来技術の伸縮自在の電源コードリールにおいては、主に以下の欠点がある。即ち、
１．従来の伸縮自在の電源コードリールは、双方向に引き伸ばし可能に設計されたものが多く、両端の電源コードの長さが同じで、一方向に引き伸ばす要望に対応することができない。
２．従来の伸縮自在の電源コードリールは、電源コードリールに触れると双方向に自動的に巻き取れるように設計されたものが多く、したがって、偶然に、電源コードリールに触れた際、電源コードが自動的に巻き取られて電気器具が破壊したり、突然、電源が切れたりする場合がある。
３．従来の伸縮自在の電源コードリールは、そのスペースに制限があること及び電源コードの靭性に対する要求により、その大部分は弱電関連製品に用いられていた。また、一部、強電製品において用いられているものもあるが、その体積が大き過ぎるため、携帯には不便である。
４．ある程度の使用期間を経るとコードリールのコード係止装置が磨耗し、電源コードリールが使用できなくなって、電源コードが無駄となることがある。
【０００５】
そこで、本考案は、従来の伸縮自在の電源コードリールの上記欠点に対処して、電源コードリール内の電源コードを一方向に引き伸ばすことが可能で、電圧に対する要求が異なるモバイル機器又はその他の製品に用いることができ、その引き伸ばしの長さが自由に制御できる電源コードリールを提供することを目的とする。
【課題を解決するための手段】
【０００６】
上記目的を達成するために、本考案の電源コードリールは、上軸受けと、下軸受けと、電源コードの引き出し及び巻き取り用の電源コード出口、及び上軸受け装着孔が形成された上蓋と、下軸受け装着孔及び伸縮制御スイッチ装着孔が形成された下蓋と、一方の面に回転バネ収納空間が設けられ、他方の面の中心に円筒状のコード巻取り柱が設けられて、前記上軸受け及び前記下軸受けにより回転可能に支持された回転盤と、前記コード巻取り柱に巻かれ一端にプラグを接続した電源コードと、前記回転バネ収納空間に装着された回転バネと、前記電源コードの他端を前記コード巻取り柱に係止するコード係止具と、前記電源コードの他端に電気的に接続して前記コード係止具内に設けられた導電ユニットと、前記下蓋に設けられ、前記回転バネ収納空間の外壁の外周面に周方向に均等に配置された複数の伸縮制御溝に係止して電源コードの伸縮長さを制御する伸縮制御スイッチと、を備え、前記電源コードを一方向に伸縮自在としたものである。
【０００７】
また、前記導電ユニットは、前記電源コードの一方の芯と電気的に接続され、前記上軸受けに設けられた上電極柱と、前記電源コードの他方の芯と電気的に接続され、前記下軸受けに設けられた下電極柱と、前記上電極柱と前記下電極柱との間に取り付けられた絶縁体と、を備えたものである。
【０００８】
さらに、上記上電極柱、下電極柱、絶縁体は、射出成型により上記コード係止具内に取り付けられたものである。
【０００９】
また、前記導電ユニットは、接地金属軸と、前記接地金属軸の上部に取り付けられた上絶縁体と、前記上絶縁体上に取り付けられ、前記電源コードの一方の芯に電気的に接続され、前記上軸受けに設けられた上電極スリーブと、前記接地金属軸の下部に取り付けられた下絶縁体と、前記下絶縁体上に取り付けられ、前記電源コードの他方の芯に電気的に接続され、前記下軸受けに設けられた下電極スリーブと、を備えたものである。
【００１０】
さらに、上記接地金属軸、上絶縁体、上電極スリーブ、下絶縁体、下電極スリーブは、射出成型により上記コード係止具内に取り付けられたものである。
【００１１】
また、前記伸縮制御スイッチは、前記伸縮制御溝に常時係止するように付勢する弾力機構をさらに備え、前記伸縮制御スイッチを前記下蓋に固定する固定方式をネジ接続又は係合接続としたものである。
【００１２】
さらに、前記回転バネ収納空間の外壁の外周面に周方向に均等に配置された複数の伸縮制御溝にて隣接する二つの伸縮制御溝の間に摺動ガイド面を形成したものである。
【００１３】
前記上蓋と下蓋との接続固定方式を係合接続、ボルト固定接続、超音波一体成型のいずれかとしたものである。
【００１４】
そして、上記弾力機構は、捻りバネである。
【考案の効果】
【００１５】
本考案は、従来技術による伸縮自在の電源コードリールに存在する欠点を克服して、電源コードリール内の電源コードを一方向に引き伸ばすことができるようにし、電圧に対する要求が異なるモバイル機器又はその他の製品に用いることができて、使用に便利である。また、その引き伸ばしの長さを自由に制御することができると共に電源コードをより確実に固定可能であり、且つその巻き取りに手動制御を採用しているので安全性を大幅に向上させることができる。そして、異なる電圧に適用可能であり、二芯又は三芯の電源コードにも適用することができる。
【考案を実施するための最良の形態】
【００１６】
図１、図２、図３及び図４に示す本考案に係る電源コードリールの第１の実施形態において、該電源コードリールは、一方向に伸縮自在の電源コードリールであって、上軸受け２及び下軸受け９と、電源コード５の引き出し及び巻き取り用の電源コード出口１２と上軸受け装着孔１３が形成された上蓋１と、下軸受け装着孔１０１及び伸縮制御スイッチ装着孔１０２（図３参照）が形成された下蓋１０と、上蓋１と下蓋１０との間に配設されており、図２示すように一方の面に回転バネ収納空間７３が設けられ、図１に示すように他方の面の中心に円筒状のコード巻取り柱７１が設けられ、上軸受け２及び下軸受け９により回転可能に支持されている回転盤７と、上記コード巻取り柱７１に巻かれる電源コード５、及び電源コード５の一端が接続されたプラグ６と、上記回転バネ収納空間７３に装着され、内側端部を回転盤７に固定し外側端部を下蓋１０に固定した渦巻状の回転バネ８と、電源コード５を係止するためのコード係止具４と、上記コード係止具４内にある導電ユニット３と、コード係止具４をコード巻取り柱７１内に固定する係止めブロック４１と、上記下蓋１０に設けられ、電源コード５の伸縮長さを制御するための伸縮制御スイッチ１１と、を備え、上記係止めブロック４１はコード巻取り柱７１に形成された係合溝７２に対応して、該係合溝７２内に取り付けられ、上記回転バネ収納空間７３の外壁の外周面に複数の伸縮制御溝７３１が周方向に均等に配置されている。
【００１７】
また、上記導電ユニット３は、上記上軸受け２に設けられ上記電源コード５の一方の芯と電気的に接続された上電極柱３１と、上記下軸受け９に設けられ上記電源コード５の他方の芯と電気的に接続された下電極柱３３と、上記上電極柱３１と上記下電極柱３３との間に取り付けられる絶縁体３２とを備えて構成されている。
【００１８】
この場合、上記上電極柱３１、下電極柱３３、絶縁体３２は、射出成型により上記コード係止具４内に取り付けられるのが好ましい。具体的には、まず、射出成型により上電極柱３１、下電極柱３３、絶縁体３２を一体に結合して、絶縁体３２を上電極柱３１と下電極柱３３との間に位置させる。さらに、一体に結合された上電極柱３１、下電極柱３３、絶縁体３２をコード係止具４と射出成型により一体に結合させる。また、他の方法により、上電極柱３１、下電極柱３３、絶縁体３２をコード係止具４と一体に結合させてもよい。
【００１９】
上記伸縮制御スイッチ１１の上記下蓋１０への固定は、例えば図３に示すようにネジ１１３により行ってもよく、又は係合接続させてもよい。また、上記伸縮制御スイッチ１１は、さらに捻りバネ１１１と回転可能な制御部材１１２とを備えて構成されている。この制御部材１１２は、上記捻りバネ１１１によって付勢されて、歯止めとしての伸縮制御溝７３１と常時係合するようになっている。これにより、伸縮制御スイッチ１１で電源コード５の伸縮長さを制御することができる。
【００２０】
また、好ましくは、上記回転バネ収納空間７３の外壁の外周面に周方向に均等に配置された複数の伸縮制御溝７３１にて隣接する二つの伸縮制御溝７３１の間に摺動ガイド面７３２が形成される。
【００２１】
そして、好ましくは、上記上蓋１と下蓋１０との接続固定方式は、係合接続、ボルト固定接続、超音波一体成型のいずれかである。
【００２２】
次に、このように構成された本考案の第１の実施形態に係る電源コードリールの動作について説明する。
先ず、プラグ６をつまんで電源コード５を外部に引き出すと、回転盤７が回転して回転バネ収納空間７３に収納された回転バネ８が巻きつけられる。そして、回転バネ８の弾性復元力により、回転盤７に上記と反対方向の回転力が発生し、電源コード５を巻き戻そうとする力が発生する。
【００２３】
一方、回転盤７の回転に伴って、上記回転バネ収納空間７３の外壁の外周面に形成された伸縮制御溝７３１に係止した伸縮制御スイッチ１１が摺動ガイド面７３２上を順次摺動し、電源コード５が所定の長さだけ引き出された時点で伸縮制御溝７３１に係止して、回転バネ８の弾性復元力によって電源コード５が巻き取られるのを阻止する。これにより、電源コード８は、引き出されて所定の長さに伸張した状態で停止する。
【００２４】
ここで、電源コード５を収縮させる場合には、上記伸縮制御スイッチ１１の制御部材１１２を指で押して捻りバネ１１１の付勢力に抗して回転させ、伸縮制御スイッチ１１の上記伸縮制御溝７３１に対する係止状態を解除する。これにより、伸縮制御スイッチ１１の制御部材１１２が押されている間、回転バネ８の弾性復元力により電源コード５が巻き戻される。このとき、上記伸縮制御スイッチ１１から指を離すと、伸縮制御スイッチ１１が捻りバネ１１１によって付勢されて伸縮制御溝７３１に係止し、電源コード５の収縮が所望の長さで停止する。
【００２５】
図５，６は本考案に係る電源コードリールの第２の実施形態の構成を示す図である。ここで、上記第１の実施形態と異なる点は、導電ユニット３０がアースに接続された接地金属軸３０３と、上記接地金属軸３０３の上部に取り付けられた上絶縁体３０２と、上記上絶縁体３０２に取り付けられ、上記電源コード５の一方の芯に電気的に接続され、上記上軸受け２に設けられた上電極スリーブ３０１と、上記接地金属軸３０３の下部に取り付けられた下絶縁体３０４と、上記下絶縁体３０４に取り付けられ、上記電源コード５の他方の芯に電気的に接続され、上記下軸受け９に設けられた下電極スリーブ３０５とを備えて構成さている点である。これにより、本考案の電源コードリールは、使用電圧の低い弱電製品のみならず、電圧の高い強電製品にも適用することができる。
【００２６】
好ましくは、上記接地金属軸３０３、上絶縁体３０２、上電極スリーブ３０１、下絶縁体３０４、下電極スリーブ３０５は、射出成型により上記コード係止具４内に取り付けられるとよい。
【００２７】
本考案に係る伸縮自在な電源コードリールは、従来技術による伸縮自在の電源コードリールに存在する欠点を克服して、電源コードリール内の電源コードを一方向に引き伸ばすことができるようにし、電圧に対する要求が異なるモバイル機器又はその他の製品に用いることができて、使用に便利である。また、その引き伸ばしの長さを自由に制御することができると共に電源コードをより確実に固定可能であり、且つその巻き取りに手動制御を採用して安全性を大幅に向上させている。そして、異なる電圧に適用可能であり、二芯又は三芯の電源コードにも適用することができる。
【００２８】
上記考案で示された内容は、比較的好ましい二つの実施形態であるが、部分的な変更、変化、又は本考案で示した技術内容に対する修正は、本考案の技術的思想に基づき、且つ、当業者が創造的の思考を経ずに容易に推察できるものであれば、いずれも本考案の権利範囲を逸脱しない。
【図面の簡単な説明】
【００２９】
【図１】本考案の電源コードリールの第１の実施形態を示す分解斜視図である。
【図２】上記第１の実施形態の上蓋及び回転盤を組立てた状態を示す斜視図である。
【図３】上記第１の実施形態の下蓋及び伸縮制御スイッチ並びに回転盤を組立てた状態を示す斜視図である。
【図４】上記第１の実施形態の断面図である。
【図５】本考案の電源コードリールの第２の実施形態を示す分解斜視図である。
【図６】上記第２の実施形態の断面図である。
【符号の説明】
【００３０】
１        上蓋
２        上軸受け
３，３０  導電ユニット
４        コード係止具
５        電源コード
６        プラグ
７        回転盤
８        回転バネ
９        下軸受け
１０      下蓋
１１      伸縮制御スイッチ
１２      電源コード出口
１３      上軸受け装着孔
１０１    下軸受け装着孔
１０２    伸縮制御スイッチ装着孔
３１      上電極柱
３２      絶縁体
３３      下電極柱
３０１    上電極スリーブ
３０２    上絶縁体
３０３    接地金属軸
３０４    下絶縁体
３０５    下電極スリーブ
４１      係止めブロック
７１      コード巻取り柱
７２      係合溝
７３      回転バネ収納空間
７３１    伸縮制御溝
７３２    摺動ガイド面  
【図１】
0003136613.tif 000003
【図２】
0003136613.tif 000004
【図３】
0003136613.tif 000005
【図４】
0003136613.tif 000006
【図５】
0003136613.tif 000007
【図６】
0003136613.tif 000008